(57)【要約】      （修正有）【課題】外観品質をより向上することができるカーテンウォールを提供する。【解決手段】床スラブに取り付けられた方立１１にパネルユニットが支持され、方立１１は、カバー部材３０によって覆われており、カバー部材３０は、パネルユニットに設けられた支持ヒレ部材５０にネジ部材によって取り付けられているカーテンウォールであって、カバー部材３０には、支持ヒレ部材５０の表面５１ｂに対向する第１板状部分３３と、支持ヒレ部材５０の裏面５１ｃに対向する第２板状部分３４とが設けられ、第１板状部分３３には、ネジ部材４０の頭部４１が通過可能な頭部挿通孔３３ｃが設けられ、第２板状部分３４には、ネジ部材４０の軸部４２が螺合されるネジ孔３４ａが設けられ、支持ヒレ部材５０には、ネジ部材４０の軸部４２を挿通可能、かつネジ部材４０の頭部４１を挿通不可とする軸部挿通孔５１ａが設けられている。【選択図】図４
2020143565.tif 000002
【特許請求の範囲】
【請求項１】
躯体に取り付けられた構造材にパネルユニットが支持され、
前記構造材は、カバー部材によって覆われており、
前記カバー部材は、前記パネルユニットに設けられた支持ヒレ部材にネジ部材によって取り付けられているカーテンウォールであって、
前記カバー部材には、前記支持ヒレ部材の表面に対向する第１板状部分と、前記支持ヒレ部材の裏面に対向する第２板状部分とが設けられ、前記第１板状部分には、前記ネジ部材の頭部が通過可能な頭部挿通孔が設けられ、前記第２板状部分には、前記ネジ部材の軸部が螺合されるネジ孔が設けられ、
前記支持ヒレ部材には、前記ネジ部材の軸部を挿通可能、かつ前記ネジ部材の頭部を挿通不可とする軸部挿通孔が設けられていることを特徴とするカーテンウォール。
【請求項２】
前記支持ヒレ部材の軸部挿通孔は、前記構造材の長手に沿って前記ネジ部材の軸部を移動可能とする長孔状に形成されていることを特徴とする請求項１に記載のカーテンウォール。
【請求項３】
前記支持ヒレ部材は、前記パネルユニットを構成する枠の見付け面に設けられたものであり、
前記カバー部材の第１板状部分は、先端面が前記枠の見付け面に当接されていることを特徴とする請求項１に記載のカーテンウォール。
【請求項４】
前記カバー部材の第１板状部分には、先端縁部に直角方向に延在する屈曲部が設けられ、前記屈曲部の先端面が前記枠の見付け面に当接されていることを特徴とする請求項３に記載のカーテンウォール。
【請求項５】
前記枠の見付け面には、前記支持ヒレ部材との間に前記第１板状部分を収容する突出部が設けられていることを特徴とする請求項３に記載のカーテンウォール。
【請求項６】
前記カバー部材は、前記構造材を覆うカバー本体部の延長上に前記第１板状部分が設けられ、カバー本体部よりも前記構造材に近接する位置において前記第１板状部分に対して平行となるように前記第２板状部分が設けられていることを特徴とする請求項１に記載のカーテンウォール。
【発明の詳細な説明】
【技術分野】
【０００１】
本発明は、カーテンウォールに関するもので、特に、躯体に取り付けられた方立や無目の相互間にパネルユニットを配設することによって構成されたカーテンウォールに関するものである。
【背景技術】
【０００２】
カーテンウォールには、パネルユニットを支持する方立や無目等の構造材として鋼製のものを用いた場合、その周囲をカバー部材によって覆うことにより、外観品質の向上を図るようにしたものが提供されている。カバー部材は、例えばパネルユニットに設けられた支持ヒレ部材に重ね合わせた状態でネジ部材を螺合することにより、支持ヒレ部材を介してパネルユニットに支持されている（例えば、特許文献１参照）。
【先行技術文献】
【特許文献】
【０００３】
【特許文献１】実開昭６３−７８６１３号公報（図４）
【発明の概要】
【発明が解決しようとする課題】
【０００４】
ところで、上述のカーテンウォールでは、カバー部材によって構造材が覆われることになるものの、カバー部材の表面にネジ部材の頭部が露出する。このため、外観品質を考慮した場合には、更なる改善を行うことが好ましい。
【０００５】
本発明は、上記実情に鑑みて、外観品質をより向上することのできるカーテンウォールを提供することを目的とする。
【課題を解決するための手段】
【０００６】
上記目的を達成するため、本発明に係るカーテンウォールは、躯体に取り付けられた構造材にパネルユニットが支持され、前記構造材は、カバー部材によって覆われており、前記カバー部材は、前記パネルユニットに設けられた支持ヒレ部材にネジ部材によって取り付けられているカーテンウォールであって、前記カバー部材には、前記支持ヒレ部材の表面に対向する第１板状部分と、前記支持ヒレ部材の裏面に対向する第２板状部分とが設けられ、前記第１板状部分には、前記ネジ部材の頭部が通過可能な頭部挿通孔が設けられ、前記第２板状部分には、前記ネジ部材の軸部が螺合されるネジ孔が設けられ、前記支持ヒレ部材には、前記ネジ部材の軸部を挿通可能、かつ前記ネジ部材の頭部を挿通不可とする軸部挿通孔が設けられていることを特徴とする。
【発明の効果】
【０００７】
本発明によれば、ネジ部材の頭部に対してその周囲が第１板状部分によって覆われることになるため、ネジ部材の頭部を外部から視認すること難しくなり、外観品質を向上させることが可能となる。
【図面の簡単な説明】
【０００８】
【図１】本発明の実施の形態であるカーテンウォールを適用した建造物の要部を示す縦断面図である。
【図２】図１に示した建造物の要部を拡大した縦断面図である。
【図３】図１に示した建造物の要部を拡大した横断面図である。
【図４】図３の要部を拡大した横断面図である。
【図５】図１に示した建造物のカーテンウォールに適用される枠とカバー部材とを示す要部拡大分解斜視図である。
【図６】図５に示した枠に対するカバー部材の取付順を示したもので、（ａ）は分解横断面図、（ｂ）はカバー部材の第１板状部分及び第２板状部分の間に枠の支持ヒレ部材を配置した状態の横断面図、（ｃ）は第１板状部分の頭部挿通孔及び支持ヒレ部材の軸部挿通孔を介して第２板状部分のネジ孔にネジ部材を螺合している途中の横断面図、（ｄ）はネジ部材を第２板状部分のネジ孔に螺合した状態の横断面図である。
【図７】ネジ部材によって支持ヒレ部材にカバー部材の第２板状部分を取り付けた状態を示すもので、（ａ）は要部拡大縦断面図、（ｂ）は第１板状部分の表面から頭部挿通孔を見た要部拡大図である。
【発明を実施するための形態】
【０００９】
以下、添付図面を参照しながら本発明に係るカーテンウォールの好適な実施の形態について詳細に説明する。
図１〜図３は、本発明の実施の形態であるカーテンウォールを適用した建造物を示したものである。ここで例示する建造物は、上層の床スラブ（図示せぬ躯体）と下層の床スラブ（躯体）Ｓとの間に天井板材Ｃを配設することにより、天井板材Ｃよりも下方に人のいる室内空間Ｄ、天井板材Ｃよりも上方に天井裏空間Ｅを構成したもので、上下の床スラブＳの室外側となる部位にカーテンウォール１０を備えている。本実施の形態では特に、室外側のアウタースキン１０Ａと室内側のインナースキン１０Ｂとの間に空間１０Ｃを確保したダブルスキンタイプのカーテンウォール１０を備える建造物を例示している。以下、本発明の適用対象となるインナースキン１０Ｂについて説明し、併せて本願発明の特徴部分について詳述する。
【００１０】
インナースキン１０Ｂは、上層の床スラブ（図示せず）と下層の床スラブＳとの間に上下に延在する複数の方立１１を備えているとともに、方立１１の相互間に左右に延在する複数の無目１２を備えている。方立１１及び無目１２は、それぞれ鋼材によって構成した構造材となるものである。方立１１は、上端部が図示せぬファスナを介して上層の床スラブ（図示せず）に固定され、下端部が下層の床スラブＳに固定してある。本実施の形態では、断面が略矩形の筒状を成す方立１１を適用している。無目１２は、両端部がそれぞれ方立１１の見込み方向に沿った面に連結するように固定してある。本実施の形態では、断面が矩形の厚板状を成す無目１２を適用している。図示の例では、室内空間Ｄに対して２本の無目１２が設けてある。
【００１１】
ここで、見込み方向とは、図中の矢印Ａで示すように、建具の奥行きに沿った方向である。見込み方向に沿った面については見込み面と称する場合がある。また、本実施の形態では便宜上、見付け方向という用語も用いる。見付け方向とは、無目１２等のように水平方向に沿って延在するものの場合、見込み方向に直交した上下に沿う方向である。方立１１等のように上下方向に沿って延在するものの場合には、見込み方向に直交した水平に沿う方向を見付け方向という。見付け方向に沿った面については、見付け面と称する場合がある。
【００１２】
これら方立１１及び無目１２によって構成された構造枠には、室内側に位置する見付け面にパネルユニット２０が配設してある。パネルユニット２０は、複数の縦枠２１及び複数の横枠２２によって構成した枠体に複層ガラス等の面材２３を取り付けることによって構成したものである。本実施の形態では、左右の縦枠２１の間に上下４つの横枠２２を架設することによってパネルユニット２０の枠体が構成してある。
【００１３】
縦枠２１は、室内空間Ｄの高さとほぼ等しい長さを有したもので、それぞれが方立１１の室内側に位置する見付け面１１ａに取り付けてある。図３に示すように、縦枠２１は、縦枠基部２１ａと、縦枠基部２１ａの見込み面において室外側となる縁部に取り付けた外方押縁部２１ｂと、縦枠基部２１ａの見込み面において室内側となる縁部に取り付けた内方押縁部２１ｃとを備えて構成したもので、縦枠基部２１ａを介して方立１１の見付け面１１ａに固定してある。外方押縁部２１ｂと内方押縁部２１ｃとの間には、それぞれシール材２１ｄを介して面材２３が挟持してある。
【００１４】
縦枠基部２１ａは、両側の見込み面にそれぞれ外方押縁部２１ｂ及び内方押縁部２１ｃを装着することが可能である。図３に示す例では、両側の見込み面にそれぞれ外方押縁部２１ｂ及び内方押縁部２１ｃを装着することで、隣接するパネルユニット２０で縦枠基部２１ａを共用するようにしている。なお、図には明示していないが、見付け寸法の大きい方立１１に対しては、方立１１の見付け面１１ａに２つの縦枠基部２１ａを固定し、それぞれの一方の見込み面にのみ外方押縁部２１ｂ及び内方押縁部２１ｃを装着するようにしても良い。
【００１５】
外方押縁部２１ｂ及び内方押縁部２１ｃは、それぞれ方立１１の見込み面１１ｂよりもわずかに内周側（面材２３側）に突出するように設けてある。外方押縁部２１ｂの室外に臨む見付け面２１ｂ１には、方立１１よりも突出した縁部に突出部２１ｂ２が全長にわたって設けてある。なお、図中の符号２４は、縦枠２１の見付け面に取り付けたブラインドガイドである。ブラインドガイド２４は、互いの間に遮光用のロールスクリーン２５を上下方向に沿って案内するものである。
【００１６】
横枠２２は、縦枠２１の上下両端部及び構造枠の無目１２に対向する位置にそれぞれ設けてある。このうち縦枠２１の中間部に設けた２つの横枠２２は、無目１２の室内側に位置する見付け面１２ａに取り付けてある。図２に示すように、横枠２２は、横枠基部２２ａと、横枠基部２２ａの上方に位置する見込み面において室外側となる縁部に取り付けた上外方押縁部２２ｂと、横枠基部２２ａの下方に位置する見込み面において室外側となる縁部に取り付けた下外方押縁部２２ｃと、横枠基部２２ａの下方に位置する見込み面において室内側となる縁部に取り付けた内方押縁部２２ｄと、横枠基部２２ａの室外側に位置する部位に取り付けた無目ブラケット部２２ｅとを備えて構成したもので、無目ブラケット部２２ｅを介して無目１２の見付け面１２ａに固定してある。横枠基部２２ａの上方に位置する見込み面において室内側に位置する縁部には、上方に向けて挟持ヒレ部２２ａ１が設けてある。上外方押縁部２２ｂと横枠基部２２ａの挟持ヒレ部２２ａ１との間及び下外方押縁部２２ｃと内方押縁部２２ｄとの間には、それぞれシール材２１ｄを介して面材２３が挟持してある。なお、図中の符号２２ｇは、横枠基部２２ａと内方押縁部２２ｄとの接合部を覆う横枠カバー部である。
【００１７】
上述したパネルユニット２０を構成する縦枠２１、横枠２２及びブラインドガイド２４は、いずれもアルミニウム合金等の金属によって成形した押し出し形材である。このため、室内空間Ｄから視認できる位置に縦枠２１、横枠２２及びブラインドガイド２４が配設されていた場合にも、外観品質上の問題を招来することはない。これに対して方立１１及び無目１２については、上述したように鋼材によって構成したものであり、外観品質を考慮した場合、室内空間Ｄから直接視認できないことが好ましい。特に方立１１については、上下に沿って配設されるものであるため、室内空間Ｄから目につきやすいものとなる。このため、本実施の形態では、方立１１の周囲をカバー部材３０で覆うことにより、方立１１を直接視認できないようにしている。より具体的には、アルミニウム合金の押し出し形材によってカバー部材３０を成形し、このカバー部材３０を縦枠２１に支持させることによって方立１１の周囲を覆うようにしている。以下、カバー部材３０の構成について詳述する。なお、カバー部材３０については、縦枠２１に取り付けられた状態の姿勢で方向を特定することとする。
【００１８】
本実施の形態で適用するカバー部材３０は、左右二分割構成のものであり、それぞれ方立１１の見込み面１１ｂを覆うカバー本体部３１と、方立１１の室外に臨む見付け面１１ｃを覆う見付けカバー部３２とを有している。カバー本体部３１は、見込み方向に沿った寸法が方立１１よりも大きく構成した矩形の平板状を成すもので、無目１２の相互間にわたる長さを有している。見付けカバー部３２は、カバー本体部３１の室外側に位置する縁部から略直角方向に延在した矩形の平板状を成すものである。見付けカバー部３２の延在縁部は、室内側に向けてわずかに屈曲している。カバー本体部３１の室内側に位置する縁部には、図４及び図５に示すように、第１板状部分３３及び第２板状部分３４が設けてある。
【００１９】
第１板状部分３３は、カバー本体部３１の延長上に設けられたもので、カバー本体部３１よりも板厚がわずかに薄く構成してある。第１板状部分３３の外周側に位置する表面３３ａは、カバー本体部３１の表面３１ａよりも一段低くなっている。第１板状部分３３の室内側に位置する縁部には、外周側に向けてほぼ直角に屈曲した屈曲部３３ｂを設けることによって幅広の当接面（先端面）３３ｂ１が構成してある。この第１板状部分３３には、長手に沿った複数箇所に頭部挿通孔３３ｃが設けてある。頭部挿通孔３３ｃは、カバー部材３０を取り付ける際に適用するネジ部材４０の頭部４１を挿通可能とする内径を有した断面円形の貫通孔である。
【００２０】
第２板状部分３４は、カバー本体部３１から内周側に向けて屈曲した後、室内側に向けて屈曲するように延在したものである。第２板状部分３４は、カバー本体部３１とほぼ同じ板厚に構成してある。第２板状部分３４の延在長さは、第１板状部分３３の延在長さよりも短くなっている。この第２板状部分３４には、頭部挿通孔３３ｃに対向する位置にネジ孔３４ａが設けてある。ネジ孔３４ａは、ネジ部材４０の軸部４２が螺合される断面円形の貫通孔であり、頭部挿通孔３３ｃと同一の軸心上に設けてある。第２板状部分３４の外周側に位置する表面３４ｂから第１板状部分３３の外周側に位置する表面３３ａまでの距離は、後述の支持ヒレ部材５０におけるカバー支持部５１の板厚とネジ部材４０の頭部４１の高さ寸法との合計値よりも大きくなるように設定してある。
【００２１】
一方、カバー部材３０が取り付けられる縦枠２１には、外方押縁部２１ｂの室外に臨む見付け面２１ｂ１に支持ヒレ部材５０が設けてある。支持ヒレ部材５０は、平板状を成すヒレ基部５２と、ヒレ基部５２の一方の縁部から略直角方向に延在したカバー支持部５１とを一体に成形した断面Ｌ字状の長尺部材である。カバー支持部５１の板厚は、第１板状部分３３と第２板状部分３４との間の隙間よりも小さく構成してある。またヒレ基部５２の外表面５２ａからカバー支持部５１の延在端面までの寸法は、第２板状部分３４よりも大きく、第１板状部分３３よりもわずかに小さくなるように設定してある。つまり、カバー支持部５１は、第１板状部分３３と第２板状部分３４との間に挿入することが可能、かつ第１板状部分３３によって全面を覆うことが可能となるように構成してある。この支持ヒレ部材５０は、ヒレ基部５２を介して外方押縁部２１ｂに取付ネジ５３を螺合することにより、カバー支持部５１が突出部２１ｂ２と対向する姿勢で外方押縁部２１ｂに固定してある。カバー支持部５１と突出部２１ｂ２との間には、第１板状部分３３の室内側に位置する屈曲した縁部を収容することのできる隙間が確保してある。
【００２２】
また、カバー支持部５１には、カバー部材３０の頭部挿通孔３３ｃ及びネジ孔３４ａに対応する部位に軸部挿通孔５１ａが設けてある。軸部挿通孔５１ａは、上述したネジ部材４０の軸部４２を挿通可能、かつ頭部４１を挿通不可とする幅を有した長孔であり、方立１１の長手方向に沿って形成してある。軸部挿通孔５１ａを設ける位置は、ヒレ基部５２の外表面５２ａと第１板状部分３３の当接面３３ｂ１とを合致させた際に第２板状部分３４に設けたネジ孔３４ａと軸心が合致する位置である。
【００２３】
上述の支持ヒレ部材５０が取り付けられた縦枠２１に対しては、図６に示すように、カバー支持部５１の外周側に位置する表面５１ｂに第１板状部分３３を対向させ、かつカバー支持部５１の内周側に位置する表面（裏面）５１ｃに第２板状部分３４を対向させた状態で頭部挿通孔３３ｃ及び軸部挿通孔５１ａを介してネジ孔３４ａにネジ部材４０を螺合すれば、カバー部材３０を縦枠２１に支持させることができる。すなわち、支持ヒレ部材５０のカバー支持部５１がカバー部材３０の第２板状部分３４と、第２板状部分３４のネジ孔３４ａに螺合したネジ部材４０の頭部４１との間に挟持された状態となる。これにより、カバー本体部３１によって方立１１の見込み面１１ｂを覆い隠すことができるようになる。しかも、カバー部材３０を取り付ける際に適用したネジ部材４０は、図７に示すように、頭部４１が第１板状部分３３に設けた頭部挿通孔３３ｃに収容された状態となり、第１板状部分３３の外周側に位置する表面３３ａから突出することがない。また、カバー支持部５１に設けた軸部挿通孔５１ａについても第１板状部分３３によって覆い隠されることになる。従って、建造物の室内空間Ｄから面材２３を介して室外側を見た場合にも、方立１１やネジ部材４０を視認することが困難となり、外観品質の点できわめて有利となる。さらに、支持ヒレ部材５０に形成した軸部挿通孔５１ａは、方立１１の長手方向に沿った長孔状を成すものである。従って、仮にカバー部材３０と支持ヒレ部材５０との間に熱膨張による変形量に差が生じた場合にも、ネジ部材４０と軸部挿通孔５１ａとが相対移動することによって、変形量の差を吸収することができ、カバー部材３０に変形を来す事態を防止することが可能となる。
【００２４】
因に、カバー部材３０の見付けカバー部３２については、建造物の室内空間Ｄから視認できる位置になく、また図には明示していないが、方立１１の室外側に位置する部位にはアウタースキン１０Ａの柱が配置されるため、室外からも視認し難い箇所となる。このため、図３に示すように、方立１１に取り付けた支持ブラケット６０に対して直接ネジ６１を螺合することにより見付けカバー部３２を方立１１に取り付けるようにしている。しかしながら、見付けカバー部３２についても、カバー本体部３１と同様、第１板状部分及び第２板状部分に相当する部分を設けて支持ブラケット６０に取り付けるようにしても良い。
【００２５】
なお、上述した実施の形態では、方立１１についてのみカバー部材３０を設けるようにしているが、無目１２についてもカバー部材で覆うようにしても良い。また、ダブルスキンタイプのカーテンウォール１０を例示しているが、必ずしもアウタースキン１０Ａを備えている必要はない。さらに、適用対象となるカーテンウォール１０の詳細構成についても実施の形態のものに限らず、例えば無目１２を有していないカーテンウォール１０であっても構わない。
【００２６】
また、上述した実施の形態では、縦枠２１の見付け面に突出部２１ｂ２を設けるようにしているため、突出部２１ｂ２によってカバー部材３０の縁部が覆い隠されることになり、外観品質の点で有利となる。しかしながら、縦枠２１は、必ずしも突出部２１ｂ２を有している必要はない。さらに、カバー部材３０の当接面３３ｂ１を縦枠２１の見付け面２１ｂ１に当接させた際にネジ孔３４ａの軸心と軸部挿通孔５１ａの軸心とが合致するように構成しているため、ネジ部材４０の螺合作業を容易化することが可能であるが、本発明はこれに限定されない。例えば、縦枠２１に取り付けた状態において必ずしもカバー部材３０を縦枠２１に当接させる必要はない。なお、支持ヒレ部材５０は、縦枠２１と別体である必要はなく、縦枠２１に一体に設けるようにしても良い。
【００２７】
さらに、上述した実施の形態では、カバー本体部３１の延長上となる部位に第１板状部分３３を設けるようにしているため、外観品質上有利であるが、カバー本体部３１の延長上となる部位に第２板状部分３４を設けるようにしても構わない。
【００２８】
以上のように、本発明に係るカーテンウォールは、躯体に取り付けられた構造材にパネルユニットが支持され、前記構造材は、カバー部材によって覆われており、前記カバー部材は、前記パネルユニットに設けられた支持ヒレ部材にネジ部材によって取り付けられているカーテンウォールであって、前記カバー部材には、前記支持ヒレ部材の表面に対向する第１板状部分と、前記支持ヒレ部材の裏面に対向する第２板状部分とが設けられ、前記第１板状部分には、前記ネジ部材の頭部が通過可能な頭部挿通孔が設けられ、前記第２板状部分には、前記ネジ部材の軸部が螺合されるネジ孔が設けられ、前記支持ヒレ部材には、前記ネジ部材の軸部を挿通可能、かつ前記ネジ部材の頭部を挿通不可とする軸部挿通孔が設けられていることを特徴としている。
【００２９】
この発明によれば、ネジ部材の頭部に対してその周囲に第１板状部分が配置されるため、ネジ部材の頭部を外部から視認すること難しくなり、外観品質を向上させることができる。
【００３０】
また本発明は、上述したカーテンウォールにおいて、前記支持ヒレ部材の軸部挿通孔は、前記構造材の長手に沿って前記ネジ部材の軸部を移動可能とする長孔状に形成されていることを特徴としている。
【００３１】
この発明によれば、長孔状に形成した軸部挿通孔の範囲でネジ部材が相対移動することができる。従って、例えばカバー部材と支持ヒレ部材との間に熱膨張による変形量に差が生じた場合にもこれを吸収することができ、カバー部材に変形を来す事態を防止することができる。
【００３２】
また本発明は、上述したカーテンウォールにおいて、前記支持ヒレ部材は、前記パネルユニットを構成する枠の見付け面に設けられたものであり、前記カバー部材の第１板状部分は、先端面が前記枠の見付け面に当接されていることを特徴としている。
【００３３】
この発明によれば、枠に対してカバー部材の取り付け位置を規定することができ、枠との間の隙間が不均一となるような外観品質上の問題を招来するおそれがない。
【００３４】
また本発明は、上述したカーテンウォールにおいて、前記カバー部材の第１板状部分には、先端縁部に直角方向に延在する屈曲部が設けられ、前記屈曲部の先端面が前記枠の見付け面に当接されていることを特徴としている。
【００３５】
この発明によれば、枠の見付け面に対してカバー部材をより大きな面で接触させることができる。
【００３６】
また本発明は、上述したカーテンウォールにおいて、前記枠の見付け面には、前記支持ヒレ部材との間に前記第１板状部分を収容する突出部が設けられていることを特徴としている。
【００３７】
この発明によれば、当接部によってカバー部材と枠との当接部を覆い隠すことができ、外観品質をさらに向上させることができる。
【００３８】
また本発明は、上述したカーテンウォールにおいて、前記カバー部材は、前記構造材を覆うカバー本体部の延長上に前記第１板状部分が設けられ、カバー本体部よりも前記構造材に近接する位置において前記第１板状部分に対して平行となるように前記第２板状部分が設けられていることを特徴としている。
【００３９】
この発明によれば、カバー本体部に対して第１板状部分が突出しないため、外観品質をさらに向上させることができる。
【符号の説明】
【００４０】
１０  カーテンウォール、１１  方立、２０  パネルユニット、２１  縦枠、２１ｂ１  見付け面、２１ｂ２  突出部、３０  カバー部材、３１  カバー本体部、３３  第１板状部分、３３ａ  表面、３３ｂ  屈曲部、３３ｂ１  当接面、３３ｃ  頭部挿通孔、３４  第２板状部分、３４ａ  ネジ孔、３４ｂ  表面、４０  ネジ部材、４１  頭部、４２  軸部、５０  支持ヒレ部材、５１ａ  軸部挿通孔、５１ｂ  表面、  ５１ｃ  表面、Ｓ  床スラブ
【図１】
2020143565.tif 000003
【図２】
2020143565.tif 000004
【図３】
2020143565.tif 000005
【図４】
2020143565.tif 000006
【図５】
2020143565.tif 000007
【図６】
2020143565.tif 000008
【図７】
2020143565.tif 000009